(57)【特許請求の範囲】
【請求項１】
光コード・光心線（Ｌ）を増設し、又は配線替えする際に、その光コード・光心線（Ｌ）を選別し、取り出すときに用いる光コード・光心線の摘出工具であって、
前記光コード・光心線（Ｌ）を案内するために、線材を１回転半の螺旋状に形成したものであり、該光コード・光心線（Ｌ）を掛け止める挿通部（３）と、該挿通部（３）内に該光コード・光心線（Ｌ）を導入する、該螺旋状の線材の隙間である開口部（４）とを有するコードガイド（１）と、
前記コードガイド（１）にその先端を取り付けた、作業者が手で持つための棒状の把持棒（２）と、から成り、
前記コードガイド（１）の開口部（４）から光コード・光心線（Ｌ）を押し込み、該開口部（４）より光コード・光心線（Ｌ）を挿通部（３）に通し、前記把持棒（２）を捻ることにより、該開口部（４）から光コード・光心線（Ｌ）が外れないように構成した、ことを特徴とする光コード・光心線の摘出工具。
【請求項２】
前記把持棒（２）に、曲折し得る部材から成る揺動部（５）を設けた、ことを特徴とする請求項１の光コード・光心線の摘出工具。
【請求項３】
前記揺動部（５）は、可撓性を有する曲折部（５ａ）の両端に回動自在になる回動構造（５ｂ）を取り付け、両回動構造（５ｂ）それぞれに前記把持棒（２）を接続したものである、ことを特徴とする請求項２の光コード・光心線の摘出工具。
【請求項４】
前記把持棒（２）は可撓性を有する棒部材から成る、ことを特徴とする請求項１の光コード・光心線の摘出工具。
【請求項５】
前記把持棒（２）と前記コードガイド（１）とを連結具（６）で着脱自在に連結した、ことを特徴とする請求項１の光コード・光心線の摘出工具。
【発明の詳細な説明】
【技術分野】
【０００１】
本発明は、光ＩＤＦトレイ内又はトレイ間の光コード・光心線を選別し、取り出す際に用いる光コード・光心線の摘出工具に関する。
【背景技術】
【０００２】
光コード・光心線を増設する際又は配線替えする際に、図６に示すように、光コード・光心線Ｌに余長部を設け、この余長部や接続個所等を光ＩＤＦトレイＴに整理収納している。この光ＩＤＦトレイＴは、浅い箱状のトレイＴであり、このトレイＴに光コード・光心線Ｌの導出入口を左右の側部に設けて、導出入された光コード・光心線Ｌの融着接続部や光コネクタ接続部、又は余長部を収納し、配線替え等を必要とする作業時に、作業空間を確保するために、トレイＴを前方に引き出して作業を行っていた。光ＩＤＦトレイＴ内及びトレイＴ間の光コード・光心線Ｌを選別し、取り出すときは、工具を使用せず手指で摘出していた。
【０００３】
また、複数本の光ファイバーの中から特定の１本を離れた位置で摘出する技術も提案されている。例えば、特許文献１の特開平１０−１９７３９８号公報「光ファイバーの環境可変装置、その摘出装置及びその摘出システム」に示すように、光ファイバーの所定部位に温度差をもたせ、その光ファイバーの一端から入射した光の散乱光を検出し、多数本の中から該当する光ファイバー を摘出する光ファイバーの摘出装置において、前記光ファイバーの一端から光信号を入射する発光部と、前記光ファイバーの所定部位に温度差が生じたことにより発生する散乱光を受光する受光部と、前記受光部が受光した光信号に基づいて、摘出すべき光ファイバーか否かを判定する摘出判定部とを含む光ファイバーの摘出装置が提案されている。
【特許文献１】特開平１０−１９７３９８号
【発明の開示】
【発明が解決しようとする課題】
【０００４】
しかし、光コード・光心線Ｌを手指で選別する際に、トレイＴ内、架内で光コード・光心線Ｌが重なっているため、目的以外の光コード・光心線Ｌを摘んだりすることがあった。更に、目的とする光コード・光心線Ｌであっても作業者の手指の大きさ、光コード・光心線Ｌの柔軟性、又は作業者の熟練度の違いで選別中に、この光コード・光心線Ｌを屈曲させることもあった。そこで、このような手指で光コード・光心線Ｌを直接摘出する作業は、安全に選別できない場合があり、単純作業にもかかわらず慎重さを必要とするという問題があった。
【０００５】
また、特許文献１の特開平１０−１９７３９８号公報「光ファイバーの環境可変装置、その摘出装置及びその摘出システム」では、大掛かりな装置であり、本発明のような光コード・光心線の増設や配線替えする際の作業には不向きであった。
【０００６】
本発明は、かかる問題点を解決するために創案されたものである。すなわち、本発明の目的は、簡単な構造の治具を用いることで、作業者の手指の大きさ、光コード・光心線の柔軟性、作業者の熟練度の違いといった個人の身体的条件や経験に関係なく、光コード・光心線を安全に選別することができる光コード・光心線の摘出工具を提供することにある。
【課題を解決するための手段】
【０００７】
本発明は、光コード・光心線（Ｌ）を増設し、又は配線替えする際に、その光コード・光心線（Ｌ）を選別し、取り出すときに用いる光コード・光心線の摘出工具であって、前記光コード・光心線（Ｌ）を案内するために、線材を１回転半の螺旋状に形成したものであり、該光コード・光心線（Ｌ）を掛け止める挿通部（３）と、該挿通部（３）内に該光コード・光心線（Ｌ）を導入する、該螺旋状の線材の隙間である開口部（４）とを有するコードガイド（１）と、前記コードガイド（１）にその先端を取り付けた、作業者が手で持つための棒状の把持棒（２）と、から成り、前記コードガイド（１）の開口部（４）から光コード・光心線（Ｌ）を押し込み、該開口部（４）より光コード・光心線（Ｌ）を挿通部（３）に通し、前記把持棒（２）を捻ることにより、該開口部（４）から光コード・光心線（Ｌ）が外れないように構成した、ことを特徴とする。
【０００８】
前記把持棒（２）に、曲折し得る部材から成る揺動部（５）を設ける、ことが好ましい。例えば、前記揺動部（５）は、可撓性を有する曲折部（５ａ）の両端に回動自在になる回動構造（５ｂ）を取り付け、両回動構造（５ｂ）それぞれに前記把持棒（２）を接続したものを用いることができる。
【０００９】
前記把持棒（２）には可撓性を有する棒部材から成るものを用いることができる。
前記把持棒（２）と前記コードガイド（１）とを連結具（６）で着脱自在に連結することも可能である。
【発明の効果】
【００１０】
上記構成の発明では、光ＩＤＦトレイ（Ｔ）内及びトレイ（Ｔ）間の光コード・光心線（Ｌ）を選別し、取り出す際に、作業者は摘出工具のコードガイド（１）に光コード・光心線（Ｌ）を掛け止め、把持棒（２）を引きながら摘出することができる。このコードガイド（１）に光コード・光心線（Ｌ）を掛け止めるときは、コードガイド（１）は、細い線材を略１回転半の螺旋状に形成したものであり、その螺旋状の線材の間（開口部（４））から光コード・光心線（Ｌ）を容易に押し込むことができる。
次に、この開口部（４）より光コード・光心線（Ｌ）を通し、この光コード・光心線（Ｌ）に対して摘出工具を捻ると、このコードガイド（１）の挿通部（３）から光コード・光心線（Ｌ）が抜けなくなる。
把持棒（２）を引きながら光コード・光心線（Ｌ）を摘出するときは、コードガイド（１）の開口部（４）の間隔が、光コード・光心線（Ｌ）の外径より狭いので、この開口部（４）から光コード・光心線（Ｌ）が外れない。
このように、本発明の摘出工具のコードガイド（１）を用いることにより、トレイ（Ｔ）内で重なっている光コード・光心線（Ｌ）の中から、目的とする光コード・光心線（Ｌ）を容易かつ安全に選別し、摘出することができる。
【００１１】
前記把持棒（２）に、可撓性を有する棒部材からなる揺動部（５）を設けた摘出工具では、この揺動部（５）が容易に曲折し得るので、光コード・光心線（Ｌ）がトレイ（Ｔ）内、架内で重なっていても、コードガイド（１）の形状に追従しやすいので引っかかることなく、この光コード・光心線（Ｌ）を摘出することができる。同様に、把持棒（２）が可撓性を有する棒部材を用いた摘出工具でも、コードガイド（１）が引っかかることなく、光コード・光心線（Ｌ）を摘出することができる。
【００１２】
更に、光ＩＤＦトレイ（Ｔ）に把持棒（２）が邪魔になるような障害物があるときは、一旦コードガイド（１）を把持棒（２）から外してからコードガイド（１）のみを移動させ、再度連結具（６）で把持棒（２）に連結して摘出に利用することができる。
【発明を実施するための最良の形態】
【００１３】
本発明の光コード・光心線の摘出工具は、光コード・光心線を案内するコードガイドと、このコードガイドに取り付けた棒状の把持棒とから成る工具であり、光コード・光心線の増設や配線替えする際に、光ＩＤＦトレイ内及びトレイ間の光コード、光心線を選別、取出しに用いるものである。
【実施例１】
【００１４】
以下、本発明の好ましい実施の形態を図面を参照して説明する。
図１は実施例１の光コード・光心線の摘出工具を示すものであり、（ａ）は摘出工具全体の正面図、（ｂ）はコードガイドの拡大側面図、（ｃ）はコードガイドの拡大平面図である。図２は実施例１の摘出工具を用いてトレイから光コード・光心線を選別し、取り出す状態を示す説明図である。
実施例１の光コード・光心線の摘出工具は、光コード・光心線Ｌを案内するためのコードガイド１と、このコードガイド１に作業者が手で持つ部分となる棒状の把持棒２を取り付けたものである。
【００１５】
コードガイド１は、光コード・光心線Ｌを挿通させる挿通部３と、この挿通部３に光コード・光心線Ｌを導入する開口部４を有するものである。例えば、このコードガイド１は金属製の線材を略１回転半の螺旋状に形成し（図１（ｂ）、（ｃ）参照）、その一部に把持棒２の先端を固定したものである。このコードガイド１に光コード・光心線Ｌを掛け止めるときは、コードガイド１の開口部４から光コード・光心線Ｌを押し込む。即ち、螺旋状の線材の間（開口部４）より光コード・光心線Ｌを通し（図１（ｂ）参照）、次に光コード・光心線Ｌに対して摘出工具を捻ると、このコードガイド１から光コード・光心線Ｌが抜けなくなるので、このコードガイド１の開口部４から光コード・光心線Ｌが外れない（図１（ｃ）参照）。
【００１６】
更に、コードガイド１は、薄い金属板のような可撓性を有する略Ｃ字形状の板部材から成り、その一部に開口部を有するものを用いることができる。あるいは、プラスチック材料を用いることも可能である。このような板部材から成るコードガイドでは、その開口部部分をずらすことにより、光コード・光心線Ｌの外径より広くなり、光コード・光心線Ｌを容易に押し込むことができる。
【００１７】
把持棒２の中間に曲折し得る部材から成る揺動部５を設ける。例えば、この揺動部５は、板ばねのような可撓性を有する曲折部５ａの両端に、ボールジョイントのような回動自在になる回動構造５ｂを取り付け、両回動構造５ｂそれぞれに把持棒２を接続したものである。このように把持棒２の中間に揺動部５を設けた摘出工具では、この揺動部５が容易に曲折し得るので、光コード・光心線ＬがトレイＴ又は架内で重なっていても、コードガイド１が光コード・光心線Ｌの形状に追従しやすいので引っかかることなく、この光コード・光心線Ｌを摘出することができる。なお、このような揺動部５を設ける位置は、把持棒２の中間に限定されない。例えば、把持棒２の先端、即ちコードガイド１と把持棒２とを連結する位置に設けることも可能である。
【００１８】
同様に、把持棒２には可撓性を有する棒部材を用いた摘出工具でも、コードガイド１が引っかかることなく、光コード・光心線Ｌを摘出することができる。この揺動部５は例えばコイルばね、可撓性を有するプラスチック材料又はボールジョイントなどを用いることができる。
【００１９】
このように構成した摘出工具は、図２に示すように、光ＩＤＦトレイＴ内及びトレイＴ間の光コード・光心線Ｌを選別し、取り出す際に、摘出工具のコードガイド１に光コード・光心線Ｌを掛け止め、把持棒２を引きながら摘出することができる。
【実施例２】
【００２０】
図３は実施例２の可撓性を有する棒部材から成る光コード・光心線の摘出工具を示す正面図である。
実施例２の摘出工具は、把持棒２自体に可撓性を有する棒部材を用いたものである。例えば、把持棒２をピアノ線のような金属材で製造する。或いは、可撓性を有するプラスチック素材、更にはテニスのラケットに用いるガットを束ねたもので製造することも可能である。
このように把持棒２自体が可撓性を有する棒部材から成る摘出工具であれば、コードガイド１が光コード・光心線Ｌの形状に追従しやすいので、コードガイド１が引っかかることなく、光コード・光心線Ｌを摘出することができる。
【実施例３】
【００２１】
図４は実施例３の連結具を備えた光コード・光心線の摘出工具を示す正面図である。
実施例３の摘出工具は、把持棒２とコードガイド１とを連結具６で着脱自在に連結したものである。例えば、着脱自在に係合する部材から成る連結具６を把持棒２の先端と、コードガイド１にそれぞれ取り付ける。このように、摘出工具に連結具６を設けることで、光ＩＤＦトレイＴ上で把持棒２の移動に邪魔になるような障害物があるときは、一時、把持棒２からコードガイド１を連結具６部分で外し、再度連結してからこの光コード・光心線Ｌを摘出することができる。
【実施例４】
【００２２】
図５は実施例４のピンセット型の光コード・光心線の摘出工具を示す正面図である。
実施例４の摘出工具は、いわゆるピンセットのような形状にしたものであり、光コード・光心線Ｌを案内するために、１組の略半円形状の半円形部材７ａをその開口側を接合すると、この光コード・光心線Ｌを挿通し得る挿通部３が形成される合わせ型コードガイド７と、この合わせ型コードガイド７の各半円形部材７ａに、作業が手で持つための略Ｖ字形状のばね部材８それぞれの先端部８ａを取り付けたものである。
【００２３】
この実施例４の摘出工具は、ピンセットのように、トレイＴ内の光コード・光心線Ｌを選別したものを簡単に摘み、取り出すことができるので、特に引っ掛かりが少ない光コード・光心線Ｌが短いものに適している。
【００２４】
なお、本発明は、簡単な構造の治具を用いることで、作業者の手指の大きさ、光コード・光心線Ｌの柔軟性、作業者の熟練度の違いといった個人の身体的条件や経験に関係なく、光コード・光心線Ｌを安全に選別することができれば、上述した発明の実施の形態に限定されず、本発明の要旨を逸脱しない範囲で種々変更できることは勿論である。
【産業上の利用可能性】
【００２５】
本発明の光コード・光心線の摘出工具は、多数本のコード、心線から特定のものを選別し、取り出すことが必要な作業などに利用することができる。
【図面の簡単な説明】
【００２６】
【図１】実施例１の光コード・光心線の摘出工具を示すものであり、（ａ）は摘出工具全体の正面図、（ｂ）はコードガイドの拡大側面図、（ｃ）はコードガイドの拡大平面図である。
【図２】実施例１の摘出工具を用いてトレイから光コード・光心線を選別し、取り出す状態を示す説明図である。
【図３】実施例２の可撓性を有する棒部材から成る光コード・光心線の摘出工具を示す正面図である。
【図４】実施例３の連結具を備えた光コード・光心線の摘出工具を示す正面図である。
【図５】実施例４のピンセット型の光コード・光心線の摘出工具を示す正面図である。
【図６】トレイ内に光コード・光心線を整理収納している状態を示す平面図である。
【符号の説明】
【００２７】
１ コードガイド
２ 把持棒
３ 挿通部
４ 開口部
５ 揺動部
５ａ 曲折部
５ｂ 回動構造
６ 連結具
７ 合わせ型コードガイド
７ａ 半円形部材
８ ばね部材
８ａ ばね部材の先端部
Ｌ 光コード・光心線
Ｔ トレイ
【図１】
0004781110.tif 000002
【図２】
0004781110.tif 000003
【図３】
0004781110.tif 000004
【図４】
0004781110.tif 000005
【図５】
0004781110.tif 000006
【図６】
0004781110.tif 000007